(57)【要約】【課題】弦を支持する駒の脚部間に着脱自在な弦楽器用コンタクトマイクロホンにおいて、駒に変形や傷を与えることがなく、長時間にわたって使用してもゆるみやずれが生じないようにする。【解決手段】弦楽器の弦を支承する駒１の脚部２，３内に取り付けられ、弦の振動を電気信号に変換して出力する弦楽器用コンタクトマイクロホンにおいて、筐体１２の内部に圧電素子を有するマイクロホン本体１１と、筐体１２の対向する両側面にほぼ同軸として突設された一対の支持アーム２０と、各支持アーム２０の先端に設けられ脚部の内面２ａ，３ａに所定の圧力をもって当接する押圧子２４と、押圧子２４に圧力を付与する圧力付与手段（アジャストナット）２３とを含み、各押圧子２４は、少なくとも脚部の内面２ａ，３ａに接する部分に円弧面を備える。【選択図】図２
2010288048.tif 000002
【特許請求の範囲】
【請求項１】
弦楽器の弦を支承する駒の脚部内に取り付けられ、上記弦の振動を電気信号に変換して出力する弦楽器用コンタクトマイクロホンにおいて、
筐体の内部に圧電素子を有するマイクロホン本体と、上記筐体の対向する両側面にほぼ同軸として突設された一対の支持アームと、上記各支持アームの先端に設けられ上記脚部の内面に所定の圧力をもって当接する押圧子と、上記押圧子に圧力を付与する圧力付与手段とを含み、上記各押圧子は、少なくとも上記脚部の内面に接する部分に円弧面を備えていることを特徴とする弦楽器用コンタクトマイクロホン。
【請求項２】
上記各押圧子は、軸線が上記脚部の板厚方向と平行に配向される円柱体からなることを特徴とする請求項１に記載の弦楽器用コンタクトマイクロホン。
【請求項３】
上記支持アームの少なくとも一方が雄ねじ軸からなり、上記圧力付与手段が上記雄ねじ軸に螺合する雌ねじを有するアジャストナットで、上記押圧子が上記アジャストナットに支持されていることを特徴とする請求項１または２に記載の弦楽器用コンタクトマイクロホン。
【発明の詳細な説明】
【技術分野】
【０００１】
本発明は、弦楽器の駒に着脱自在に取り付けられる弦楽器用振動コンタクトマイクロホンに関し、さらに詳しく言えば、演奏中に弦の振動などによって緩んだりしない特にコントラバスに好適な弦楽器用コンタクトマイクロホンに関するものである。
【背景技術】
【０００２】
コントラバス等の弦楽器の振動を収音するコンタクトマイクロホン（振動ピックアップ）には、多くの場合、電子回路が不要である圧電素子が用いられている（例えば、特許文献１，２参照）。
【０００３】
加速度型ピックアップは高域に共振を持つことから、例えばコントラバス用のコンタクトマイクロホンでは、楽器の一部に挟みこんで圧縮力の変化を圧電素子で電圧に変換するようにしている。
【０００４】
この種のコンタクトマイクロホンは、特許文献１，２に記載されているように、通常、楽器の一部に固定的に組み込まれて使用されるが、図３に楽器に対して着脱自在としたコンタクトマイクロホンの一例を示し、これについて説明する。
【０００５】
このコンタクトマイクロホン１０は、例えばコントラバスの駒（ブリッジ）１に二股状に形成されている脚部２，３の内部に配置されて使用されるもので、箱形の筐体１２内に図示しない圧電素子を収納したマイクロホン本体１１を備えている。
【０００６】
筐体１２の対向する両側面に、支持アーム１３，１４が一対としてほぼ同軸的に突設されている。この例において、一方の支持アーム１３は固定された長さを有し、その先端には脚部２側の内面２ａに当接する押圧子１３ａを備えている。
【０００７】
これに対して、他方の支持アーム１４は、雄ねじ軸１４ａと、その先端側に螺合され脚部３側の内面３ａに当接する押圧子１４ｂとから構成されている。すなわち、他方の支持アーム１４は、押圧子１４ｂを回すことによりその長さを調節することができるアジャストアームである。
【０００８】
これによれば、支持アーム１４を縮めた状態で、コンタクトマイクロホン１０を脚部２，３内に配置したのち、押圧子１４ｂを所定方向に回わして支持アーム１４の長さを長くして各押圧子１３ａ，１４ｂを対応する脚部の内面２ａ，３ａに押しつけることにより、コンタクトマイクロホン１０が脚部２，３内に突っ張った状態で装着される。
【０００９】
この装着状態で、図示しない弦がはじかれると、その振動が駒１から支持アーム１３，１４を介してマイクロホン本体１１内の圧電素子に伝えられ、圧電素子にて発電された電圧が出力ケーブル１５を介して図示しない再生機器等に与えられる。
【００１０】
押圧子１４ｂを反対方向に回して支持アーム１４の長さを短くすることにより、コンタクトマイクロホン１０を駒１から取り外すことができる。
【００１１】
このようにして、コンタクトマイクロホン１０を駒１に対して簡単に着脱することができるが、駒１の形状は様々であるため、多少形状が異なっても、確実に固定することができるように、この従来例では、押圧子１３ａ，１４ｂを円錐形状として、脚部の内面２ａ，３ａに食い込ませるようにしている。
【００１２】
これによれば、点接触に近い機械振動結合状態が得られるが、他方において、次のような問題が生ずる。
【００１３】
すなわち、単位面積あたりの押圧力が高いことから、木材で作製されている駒１が塑性変形して取り付けがゆるみ、これが原因で音質が変化してしまうことがある。
【００１４】
そこで、押圧子１３ａ，１４ｂに対してさらに強い押圧力をかけることになるが、そうすると、脚部の内面２ａ，３ａのくい込み傷が深くなるばかりでなく、やはり楽器の演奏中に加えられる振動によってゆるむ。これが繰り返されることになる。
【００１５】
また、１箇所の傷を深くしないように、押圧子１３ａ，１４ｂの当接位置を変えるならば、脚部の内面２ａ，３ａのくい込み傷が増えてしまい、コンタクトマイクロホン１０の着脱を繰り返すうちに、前回のくい込み傷内に押圧子１３ａ，１４ｂを再度くい込ませることになりかねない。
【先行技術文献】
【特許文献】
【００１６】
【特許文献１】特開２００３−１６７５８３号公報
【特許文献２】特開２００７−３３３７８６号公報
【発明の概要】
【発明が解決しようとする課題】
【００１７】
したがって、本発明の課題は、弦を支持する駒の脚部間に着脱自在な弦楽器用コンタクトマイクロホンにおいて、駒に変形や傷を与えることがなく、長時間にわたって使用してもゆるみやずれが生じないようにすることにある。
【課題を解決するための手段】
【００１８】
上記課題を解決するため、本発明は、弦楽器の弦を支承する駒の脚部内に取り付けられ、上記弦の振動を電気信号に変換して出力する弦楽器用コンタクトマイクロホンにおいて、筐体の内部に圧電素子を有するマイクロホン本体と、上記筐体の対向する両側面にほぼ同軸として突設された一対の支持アームと、上記各支持アームの先端に設けられ上記脚部の内面に所定の圧力をもって当接する押圧子と、上記押圧子に圧力を付与する圧力付与手段とを含み、上記各押圧子は、少なくとも上記脚部の内面に接する部分に円弧面を備えていることを特徴としている。
【００１９】
本発明の好ましい態様によれば、上記各押圧子は、軸線が上記脚部の板厚方向と平行に配向される円柱体からなる。
【００２０】
また、上記各押圧子を上記脚部に所定の圧力を付与して当接させるうえで、上記支持アームの少なくとも一方が雄ねじ軸からなり、上記圧力付与手段が上記雄ねじ軸に螺合する雌ねじを有するアジャストナットで、上記押圧子が上記アジャストナットに支持されている態様が好ましく採用される。
【発明の効果】
【００２１】
本発明によれば、各押圧子は、駒の脚部の内面に接する部分に円弧面を備えていることにより、駒の脚部の内面に対して線状に接触し、単位面積あたりの圧力が低くなる。したがって、駒に変形や傷を与えることがなく、長時間にわたって使用し、楽器の演奏による振動を受けても、ほとんどゆるみやずれが生じなく、楽器の演奏中に音質が変化してしまうことがない。
【図面の簡単な説明】
【００２２】
【図１】本発明の実施形態に係る弦楽器用コクタクトマイクロホンを一部断面として示す正面図。
【図２】上記弦楽器用コクタクトマイクロホンの取付状態を示す正面図。
【図３】従来の弦楽器用コクタクトマイクロホンの取付状態を示す正面図。
【発明を実施するための形態】
【００２３】
次に、図１および図２により、本発明の実施形態について説明するが、本発明はこれに限定されるものではない。なお、先の図３で説明した従来例と変更を要しない構成要素には同じ参照符号を付している。
【００２４】
図１に示すように、この実施態に係る弦楽器用コクタクトマイクロホン１０Ａは、箱形の筐体１２内に圧電素子１２ａが収納されているマイクロホン本体１１を備えている。マイクロホン本体１１には、圧電素子１２ａの出力ケーブル１５が接続されている。
【００２５】
筐体１２の対向する両側面には、支持アーム２０，２０が左右一対として同軸的に突設されている。この実施形態において、支持アーム２０，２０は、ともに雄ねじ軸２１，２１からなり、その基端部２１ａ，２１ａは筐体１２内において平板状として圧電素子１２ａと接触している。
【００２６】
雄ねじ軸２１，２１の先端部２１ｂ，２１ｂ側には、圧力付与手段２２，２２を介して押圧子２４，２４が支持されている。図１において、右側の圧力付与手段２２と押圧子２４が断面で示されているが、左側の圧力付与手段２２と押圧子２４も同様の構造である。
【００２７】
圧力付与手段２２は、図２に示すように、弦楽器用コクタクトマイクロホン１０Ａを駒１の脚部２，３間に取り付ける際、押圧子２４に所定の圧力を付与して脚部２，３の内面２ａ，３ａに押し付けるためのものである。
【００２８】
この実施形態において、圧力付与手段２２には、雄ねじ軸２１に螺合する雌ねじを有する円筒状のアジャストナット２３が用いられている。
【００２９】
また、この実施形態において、押圧子２４，２４は円柱体からなり、図２に示すように、それらの各軸線を脚部２，３の板厚方向（紙面と直交する方向）と平行として、脚部２，３の内面２ａ，３ａに当接する。以下の説明において、この当接状態での押圧子２４の向きを「特定方向」と言うことがある。
【００３０】
図１における断面で示されているように、押圧子２４には、アジャストナット２３の先端が嵌合される凹部２４ａを備えている。
【００３１】
この凹部２４ａは、アジャストナット２３の円筒部分が回転可能に嵌合される円形の凹部であり、したがって、アジャストナット２３を回しても押圧子２４を上記特定方向に向けることができる。
【００３２】
ここで、筐体１２の側面と押圧子２４との間の距離を便宜的に支持アーム２０の長さとして、コクタクトマイクロホン１０Ａを駒１の脚部２，３間に取り付けるには、アジャストナット２３を筐体１２に近づく方向に回して支持アーム２０の長さを短くしてから、図２に示すように、コクタクトマイクロホン１０Ａを駒１の脚部２，３間に配置する。
【００３３】
そして、各押圧子２４を上記特定方向の向きとして、今度は、アジャストナット２３を筐体１２から離れる方向に回して支持アーム２０の長さを長くして、各押圧子２４を脚部２，３の内面２ａ，３ａに所定の圧力で当接させる。
【００３４】
これにより、コクタクトマイクロホン１０Ａは、脚部２，３間に突っ張った状態で固定され、図示しない弦がはじかれると、その振動が駒１から支持アーム２０，２０を介してマイクロホン本体１１内の圧電素子１２ａに伝えられ、圧電素子１２ａにて発電された電圧が出力ケーブル１５を介して図示しない再生機器等に与えられる。
【００３５】
各押圧子２４は円柱体であるため、脚部２，３の内面２ａ，３ａに対して線状に接触し、単位面積あたりの圧力が低くなる。したがって、駒１に変形や傷を与えることがなく、長時間にわたって使用し、楽器の演奏による振動を受けても、ほとんどゆるみやずれが生じなく、楽器の演奏中に音質が変化してしまうことがない。
【００３６】
なお、コクタクトマイクロホン１０Ａを取り外すには、アジャストナット２３を筐体１２に近づく方向に回して支持アーム２０の長さを短くすればよい。
【００３７】
上記実施形態では、各押圧子２４全体を円柱体としているが、少なくても駒１の脚部２，３の内面２ａ，３ａに接する部分に円弧面を備えていればよい。
【００３８】
また、上記従来例と同じく、一方の支持アームのみを可変長とし、他方の支持アームは固定長としてもよい。また、圧力付与手段の別の態様として、筐体１１と押圧子２４との間に圧縮コイルバネを介装してもよい。上記実施形態で説明したコクタクトマイクロホン１０Ａはコントラバスに好適であるが、それ以外の弦楽器に適用されてもよい。
【符号の説明】
【００３９】
１０Ａ  弦楽器用コクタクトマイクロホン
１  駒（ブリッジ）
２，３  脚部
２ａ，３ａ  脚部の内面
１１  マイクロホン本体
１２  筐体
１２ａ  圧電素子
１５  出力ケーブル
２０  支持アーム
２１  雄ねじ軸
２２  圧力付与手段
２３  アジャストナット
２４  押圧子
【図１】
2010288048.tif 000003
【図２】
2010288048.tif 000004
【図３】
2010288048.tif 000005